(57)【特許請求の範囲】
【請求項１】
組み立てた状態で、前パネル、該前パネルと対向する後パネル、該後パネルと前記前パネルとの左右の側部間を閉塞し互いに対向する側パネル、天部開口部を閉塞する天下パネル、該天下パネルに重ね合わされる天パネル、底部開口部を閉塞する底パネルを有し、前記前パネルと前記側パネルとに連続して形成され所定の力により切断される切断線、前記後パネルにヒンジとなる折れ線を備えたカートンであって、
前記切断線において、前記前パネルの部分の前パネル切断線を、中央部が下方に膨らんだ円弧形状とし、両端部を斜め直線状とするとともに、前記前パネル切断線は中央部と両端部の間に連結部を有し、連結部を有する左右の前記側パネルの部分の左右側パネル切断線を、ブランクの状態で前記前パネル切断線の両端部と同一直線上に前記側パネルの両側端部間に亘って斜め直線状に設け、一方の端では、前記前パネル切断線と連続し、他方の端では、前記前パネル切断線よりも高い位置に設けて前記後パネルの前記折れ線に連続して設け、
ヒンジとなる前記折れ線において、前記左右側パネル切断線が一部延長して前記折れ線の両端部に入り込んだ形状とし、
前記天パネルにカバーパネルを連接し、該カバーパネルの先端辺が前記前パネル切断線よりも下方に位置し、前記カバーパネルと前記前パネルの前記前パネル切断線より上の部分とを貼り合わせ、前記カバーパネルの先端部を摘んで引き上げることにより前記前パネル切断線の前記連結部が切断された後、前記側パネル切断線の前記連結部が切断されるようにしたことを特徴とする易開封性カートン。
【請求項２】
前記天下パネルの上辺には天差し込み片が連接されていることを特徴とする請求項１に記載の易開封性カートン。
【発明の詳細な説明】
【技術分野】
【０００１】
本発明は、易開封性、再封性を有し、かつ、バージン性を有する易開封性カートンに関するものである。
【背景技術】
【０００２】
従来より、易開封性を有するカートンとして、カートンの上の部分を後パネルの横方向の折れ線をヒンジとして後方に回動させることにより開封することができる、いわゆるヘッドバック式のカートンとしては、タバコ、チョコレートなどのカートンとして広く使用されているヒンジリッド型のカートンがある。また、ヒンジリッド型のカートン以外にも、切断線、ジッパーなどをカートンの横方向に設け、この切断線、ジッパーなどを切り取ることにより開封する形態のカートンも菓子、チョコレートなどのカートンとして広く一般的に使用されている。
【０００３】
図８は、従来の切断線を設けて開封する易開封性カートンＰの開封前後を示す斜視図であり、易開封性カートンＰの上の部分を切断線１０により前パネル１、左側パネル３、右側パネル４を切断して後パネル２に設けた折れ線Ｈをヒンジとして開封することができる形態である。
【０００４】
図９は、従来の易開封性カートンＰのブランクの展開図である。ブランクＰａは、所定幅及び所定長さを有する前パネル１と、前パネル１の一側方に連設された左側パネル３と、前パネル１の他側方に連設された右側パネル４と、右側パネル４の一側方に連設された前パネル１とほぼ同一形状を有する後パネル２と、後パネル２の一側方に連設された糊代片５とを有している。
【０００５】
また、前パネル１の下辺には、易開封性カートンＰの下方を閉塞する底パネル６が連設され、その底パネル６の下辺には、底差し込み片６ａが連設されている。後パネル２の上辺には、易開封性カートンＰの上方を閉塞する天パネル７が連設され、その天パネル７の上辺には、天差し込み片７ａが連設されている。また、左側パネル３の上辺および下辺には、折り込み片８、８が連設され、右側パネル４の上辺および下辺には、折り込み片９、９が連設されている。
【０００６】
そして、左側パネル３、前パネル１、右側パネル４には、これらの上辺から下方に所定の距離の位置にて切断線１０が連続して形成されており、この切断線１０は、所定の力によりこれらを上下に切断することができる。この切断線１０は、左側パネル３に設けられた左側パネル切断線１３と、前パネル１に設けられた前パネル切断線１１と、右側パネル４に設けられた右側パネル切断線１４とからなっている。
【０００７】
前パネル切断線１１は、前パネル１の上辺から下方に所定の距離の位置で左右方向に伸長し、前パネル１の両側端縁間に亘って設けられている。
【０００８】
右側パネル切断線１４は、右側パネル４の両側端部間に亘って斜め直線状に設けられており、左端は、前パネル切断線１１の右端と連続して設けられ、右端は、前パネル切断線１１よりも高い位置に設けられて後パネル２の折れ線Ｈの左端に連続して設けられている。
【０００９】
左側パネル切断線１３は、左側パネル３の両側端部間に亘って斜め直線状に設けられており、右端は前パネル切断線１１の左端と連続して設けられ、左端は前パネル切断線１１よりも高い位置に設けられている。
【００１０】
また、糊代片５にも糊代片切断線１５が、糊代片５の両側端部間に亘って斜め直線状に、左側パネル３の裏面と糊代片５とを貼り合せた時に左側パネル３の左側パネル切断線１３と重なる位置に設けられている。
【００１１】
また、後パネル２には、易開封性カートンＰの上の部分が後方に回動する時のヒンジとなる折れ線Ｈを設けている。
【００１２】
このブランクＰａから組み立てられた易開封性カートンＰは、以下の動作により開封される。まず最初に、前パネル切断線１１の中央部分が所定の押圧力で押圧される。これにより、前パネル切断線１１に剪断力が働いて切断される。そして、前パネル１は上下に切断される。
【００１３】
つぎに、易開封性カートンＰの切断線１０よりも上の部分が把持され、これを後パネル２側に折るように回動させる。これにより、左側パネル切断線１３、右側パネル切断線１４は、上下方向の引張力により破断し、左側パネル３、右側パネル４を上下に切断する。この前パネル切断線１１、左側パネル切断線１３、右側パネル切断線１４の切断により、これらの上方には易開封性カートンＰの上の部分が形成される。
【００１４】
そして、その回動動作によって後パネル２にて右側パネル切断線１４の後端から連続して設けられた折れ線Ｈがヒンジとなり、カートン上部はこの折れ線Ｈを回転中心として後方へ回動される。このようにして、易開封性カートンＰを開封することができ、この開封により易開封性カートンＰの前パネル１側を大きく開放させることができ、内容物を容易に取り出すことができる。
【発明の開示】
【発明が解決しようとする課題】
【００１５】
しかしながら、上記のような構成の従来の易開封性カートンでは、開封する時に、前パネル切断線の中央部分を押圧し、前パネル切断線を切断する動作と、分断された上の部分が把持して後パネル側に折るように回動させ、左右側パネル切断線を破断する動作の二つの動作を必要とし、一つの動作でスムースに開封しにくいという問題がある。また、開封の取っ掛かりの分かり易さという点では十分な形状ではないという問題がある。さらに、開封後の再封性の機能を持っていないため、内容物を一度に使い切らない場合に、再封することができず、使用上不便であるという問題がある。さらにまた、従来の易開封性カートンでは、開封する時、切断線を押し込んで切り取る必要があり、内容物を損傷する危険がある上に、開封前に外圧により、切断線が破断しやすく内容物を損傷する危険があるという問題がある。また、ヒンジリッド型のカートンでは、バージン性がないため、シール貼りをするか、あるいはプラスチックフィルムによるオーバーラップ包装を行う必要がある上に、さらに、再封性がないという問題がある。
【００１６】
本発明は、上述した問題点を解決すべくなされたものであり、その目的は、開封が容易にでき、バージン性も有しており、かつ再封性を持っている易開封性カートンを提供することにある。
【課題を解決するための手段】
【００１７】
上記の課題を解決するために、本発明の易開封性カートンは、  組み立てた状態で、前パネル、該前パネルと対向する後パネル、該後パネルと前記前パネルとの左右の側部間を閉塞し互いに対向する側パネル、天部開口部を閉塞する天下パネル、該天下パネルに重ね合わされる天パネル、底部開口部を閉塞する底パネルを有し、前記前パネルと前記側パネルとに連続して形成され所定の力により切断される切断線、前記後パネルにヒンジとなる折れ線を備えたカートンであって、前記切断線において、前記前パネルの部分の前パネル切断線を、中央部が下方に膨らんだ円弧形状とし、両端部を斜め直線状とするとともに、前記前パネル切断線は中央部と両端部の間に連結部を有し、連結部を有する左右の前記側パネルの部分の左右側パネル切断線を、ブランクの状態で前記前パネル切断線の両端部と同一直線上に前記側パネルの両側端部間に亘って斜め直線状に設け、一方の端では、前記前パネル切断線と連続し、他方の端では、前記前パネル切断線よりも高い位置に設けて前記後パネルの前記折れ線に連続して設け、ヒンジとなる前記折れ線において、前記左右側パネル切断線が一部延長して前記折れ線の両端部に入り込んだ形状とし、前記天パネルにカバーパネルを連接し、該カバーパネルの先端辺が前記前パネル切断線よりも下方に位置し、前記カバーパネルと前記前パネルの前記前パネル切断線より上の部分とを貼り合わせ、前記カバーパネルの先端部を摘んで引き上げることにより前記前パネル切断線の前記連結部が切断された後、前記側パネル切断線の前記連結部が切断されるようにしたことを特徴とする易開封性カートンである。
【００１８】
したがって、本発明によれば、カバーパネルを引き上げるという一つの動作により容易に開封が容易にでき、バージン性も有しており、かつ、カバーパネルを前パネルの裏面側に差し込むこと、あるいは、前パネルに設けた差し込み口に差し込むことによって、再封ができる易開封性カートンを提供することができる。
【発明の効果】
【００１９】
以上説明したように、本発明に係る易開封性カートンは、前パネルの上部に貼り合わせたカバーパネルを引き上げるという一つの動作により、カートンの上の部分を後パネルの折れ線をヒンジとして後方に回動させることにより容易に開封ができる易開封性カートンを提供することができる。また、カバーパネルがカートンの前パネル上に部分的に重なった状態であり、誰もがこのカバーパネルを指に触れ、開封する取っ掛かりとしやすい形状であり、バージン性が有り、開封前の強度も高く、かつ、カバーパネルを前パネルの裏面側に差し込むこと、あるいは、前パネルに設けた差し込み口に差し込むことによって、再封ができる易開封性カートンを提供することができる。
【発明を実施するための最良の形態】
【００２０】
以下、本発明の実施の形態について図面に基づいて説明する。図１は、本発明の易開封性カートンの参考例を示す斜視図である。なお、従来例と同様の構成要素には同一の符号を付している。参考例の易開封性カートンＡは、従来の易開封性カートンＰの形態に加えて天パネル７に連設されたカバーパネルＸを有しており、このカバーパネルＸが前パネル１の上部に貼り合わされている。そして、このカバーパネルＸの先端を摘み引き上げることにより、易開封性カートンＡの上の部分を容易に開封することができる形態である。
【００２１】
図２は、参考例の易開封性カートンＡのブランクの展開図である。ブランクＡａは、所定幅及び所定長さを有する前パネル１と、前パネル１の一側方に連設された左側パネル３と、前パネル１の他側方に連設された右側パネル４と、右側パネル４の一側方に連設された前パネル１とほぼ同一形状を有する後パネル２と、後パネル２の一側方に連設された糊代片５とを有している。
【００２２】
また、前パネル１の下辺には、易開封性カートンＡの下方を閉塞する底パネル６が連設され、その底パネル６の下辺には、底差し込み片６ａが連設されている。
後パネル２の上辺には、易開封性カートンＡの上方を閉塞する天パネル７が連設され、その天パネル７の上辺には、カバーパネルＸが連設されている。
【００２３】
また、左側パネル３の上辺および下辺には、折り込み片８、８が連設され、右側パネル４の上辺および下辺には、折り込み片９、９が連設されている。
【００２４】
そして、従来の易開封性カートンＰと同様に、左側パネル３、前パネル１、右側パネル４には、これらの上辺から下方に所定の距離の位置にて切断線１０が連続して形成されており、この切断線１０は、所定の力によりこれらを上下に切断することができる。この切断線１０は、左側パネル３に設けられた左側パネル切断線１３と、前パネル１に設けられた前パネル切断線１１と、右側パネル４に設けられた右側パネル切断線１４とからなっている。
【００２５】
前パネル切断線１１は、前パネル１の上辺から下方に所定の距離の位置で左右方向に伸長し、前パネル１の両側端縁間に亘って設けられている。この前パネル切断線１１の形状は、直線、円弧状の曲線などとするが、中央部が下方に膨らんだ円弧形状が切断しやすく好ましい。
【００２６】
右側パネル切断線１４は、右側パネル４の両側端部間に亘って斜め直線状に設けられており、左端は、前パネル切断線１１の右端と連続して設けられ、右端は前パネル切断線１１よりも高い位置に設けられて後パネル２の折れ線Ｈの左端に連続して設けられている。
【００２７】
左側パネル切断線１３は、左側パネル３の両側端部間に亘って斜め直線状に設けられており、右端は前パネル切断線１１の左端と連続して設けられ、左端は前パネル切断線１１よりも高い位置に設けられている。
【００２８】
また、糊代片５にも糊代片切断線１５が、糊代片５の両側端部間に亘って斜め直線状に、左側パネル３の裏面と糊代片５とを貼り合せた時に左側パネル３の左側パネル切断線１３と一致する位置に設けられている。
【００２９】
また、後パネル２には、易開封性カートンＡの上の部分が後方に回動するヒンジとなる折れ線Ｈを設けている。この折れ線Ｈの両端部には、図２に示すように、側パネル切断線１４および糊代片切断線１５が一部延長して入り込んだ形状とすることができる。この形状にすることにより、易開封性カートンＡの上の部分の後方への回動を容易に行うことができる。
【００３０】
参考例の易開封性カートンＡでは、カバーパネルＸを設けたことが特徴であり、このカバーパネルＸは前パネル１の上の部分に重ね合わされた時に、その先端辺が、前パネル１に設けられた前パネル切断線１１より下の位置になるように設定する。このカバーパネルＸの先端辺の形状は、直線、円弧状などの曲線、台形状など特に限定されるものではない。
【００３１】
つぎに、上記のようなブランクＡａから易開封性カートンＡを組み立てる工程を説明する。まず最初に、図３−ａに示すように、後パネル２を右側パネル４側に折り曲げ、そして、左側パネル３を前パネル１側に折り曲げて左パネル３の裏面と糊代片５とを貼り合せて図３−ｂに示すような折り畳まれた状態とする。つぎに、折り畳まれた状態の易開封性カートンＡを起こして、図３−ｃに示すように、前パネル１、後パネル２、左側パネル３、右側パネル４によって形成された上下が開放された筒状の状態とし、内容物を充填する。つぎに、上の開放された部分では、折り込み片８、９を折り曲げ、その折り込み片８、９を覆うように天パネル７を折り曲げ、さらに、カバーパネルＸを前パネル１のに上部に重ね合わせ前パネル１の前パネル切断線１１より上の部分と貼り合せる。この時、前パネル切断線１１より下の部分では、貼り合せずに摘み易い状態としておく。下の開放された部分では、折り込み片８、９を折り曲げ、その折り込み片８、９を覆うように底パネル６を折り曲げ、同時に底差し込み片６ａを前パネル１の裏側に差し込んで図１−ａに示すような直方体形状に形成される。
【００３２】
つぎに、このように組み立てられた易開封性カートンＡを開封する方法を説明する。まず最初に、前パネル１に重ね合わされたカバーパネルＸの先端部分を摘んで引き上げるような動作により前パネル１の前パネル切断線１１が切断され、さらに引き上げることにより、左側パネル３の左側パネル切断線１３および右側パネル４の右側パネル切断線１４が切断される。この動作により、易開封性カートンＡの上の部分が後パネル２に設けた折れ線Ｈをヒンジとして後方に回動されて開封される。このようにして、図１−ｂに示すように、易開封性カートンＡを開封することができ、この開封により易開封性カートンＡの前パネル１側を大きく開放させることができ、内容物を容易に取り出すことができる。すなわち、カバーパネルＸを引き上げるという一つの動作により、容易に易開封性カートンＡを開封することができる。また、開封後に再封する時には、図４に示すように、カバーパネルＸを前パネル１の裏面側に差し込むことにより、係止することができ、内容物がこぼれ出ることを防ぐことができる。
【００３３】
つぎに、本発明の易開封性カートンの一実施例を説明する。なお、参考例と同様の構成要素には同一の符号を付している。参考例が、ブランクから折り畳まれた状態の易開封性カートンとし、さらに起こして筒状の易開封性カートンとして内容物を充填した後、上下の開放された部分を密封して組み立てる形態であるのに対して、本発明の易開封性カートンＢは、ブランクの状態から内容物を収納し、そして易開封性カートンを組み立てる、いわゆる、ラップラウンド形式の形態である。外観そして開封方法などは、参考例の易開封性カートンＡと同様である。
【００３４】
図5は、本発明の易開封性カートンＢのブランクの展開図である。ブランクＢａは、所定幅及び所定長さを有する前パネル１と、前パネル１の一側方に連設された左側パネル３と、前パネル１の他側方に連設された右側パネル４と、右側パネル４の一側方に連設された前パネル１とほぼ同一形状を有する後パネル２と、側パネル３の一側方に連設された糊代片５とを有している。
【００３５】
また、前パネル１の下辺には、易開封性カートンＢの下方を閉塞する底パネル６が連設され、その底パネル６の下辺には、底差し込み片６ａが連設されている。前パネル１の上辺には、易開封性カートンＢの上方を閉塞する天下パネル２１が連設され、その天下パネル２１の上辺には、天差し込み片２１ａが連設されている。また、後パネル２の上辺には、易開封性カートンＢの上方を閉塞する天パネル７が連設され、その天パネル７の上辺には、カバーパネルＸが連設されている。
【００３６】
また、左側パネル３の上辺および下辺には、折り込み片８、８が連設され、右側パネル４の上辺および下辺には、折り込み片９、９が連設されている。
【００３７】
そして、参考例の易開封性カートンＡと同様に、左側パネル３、前パネル１、右側パネル４には、これらの上辺から下方に所定の距離の位置にて切断線１０が連続して形成されており、この切断線１０は、所定の力によりこれらを上下に切断することができる。この切断線１０は、左側パネル３に設けられた左側パネル切断線１３と、前パネル１に設けられた前パネル切断線１１と、右側パネル４に設けられた右側パネル切断線１４とからなっている。
【００３８】
また、後パネル２には、易開封性カートンＢの上の部分が後方に回動するヒンジとなる折れ線Ｈを設けている。糊代片５には、折れ線ｈが、後パネル２の裏面と糊代片５とを貼り合せた時に後パネル２の折れ線Ｈと一致する位置に設けられている。なお、この折れ線ｈは、切れ線であってもよい。
【００３９】
つぎに、上記のようなブランクＢａから易開封性カートンＢを組み立てる工程を説明する。易開封性カートンＢはブランクＢａから内容物Ｏを包むように組み立てられるいわゆるラップラウンド形式のカートンであり、最初に、図６−ａに示すように、前パネル１の内面に内容物Ｏを載置する。その内容物Ｏを覆うように、各パネルを内側に折り曲げていくが、まず、図６−ｂに示すように、左側パネル３を内側に直角に折り曲げ、そして、右側パネル４を内側に直角に折り曲げる。同時に、折り込み片８、８、９、９を内側に折り曲げる。
つぎに、図６−ｂ、図６−ｃに示すように、天下パネル２１および底パネル６を内側に直角に折り曲げ、そして、天差し込み片２１ａおよび底差し込み片６ａを内容物Ｏを覆うように折り曲げる。
つぎに、図６−ｃ、図６−ｄに示すように、糊代片５と後パネル２を内容物Ｏを覆うように折り曲げ、後パネル２の裏面と糊代片５とを貼り合せる。
最後に、図６−ｅに示すように、天パネル７を内側に直角に折り曲げ、カバーパネルＸを前パネル１のに上部に重ね合わせ前パネル１の前パネル切断線１１より上の部分と貼り合せる。この時、前パネル切断線１１より下の部分では、貼り合せずに摘み易い状態としておく。このようにして、図１−ａに示すと同様な直方体形状の易開封性カートンＢに形成される。
【００４０】
図７は、本発明の易開封性カートンの変形例の斜視図である。この易開封性カートンＣでは、再封の時に、カバーパネルＸを前パネル１の裏面側に差し込むのではなく、図７−ｂに示すように、前パネル１に設けた差し込み口Ｙに差し込むことができる。このことにより、再封を確実に行うことができる。なお、図７に示した差し込み口Ｙは、差し込み口の一例を示したものであり、特にこの例の形状に限定されるものではない。
【図面の簡単な説明】
【００４１】
【図１】本発明の易開封性カートンの参考例を示す斜視図である。
【図２】本発明の易開封性カートンの参考例のブランクの展開図である。
【図３】本発明の易開封性カートンの参考例の組み立てを説明する図である。
【図４】本発明の易開封性カートンの参考例の開封、再封を説明する図である。
【図５】本発明の易開封性カートンの一実施例のブランクの展開図である。
【図６】本発明の易開封性カートンの一実施例の組み立てを説明する図である。
【図７】本発明の易開封性カートンの変形例を示す斜視図である。
【図８】従来の易開封性カートンの一例を示す斜視図である。
【図９】従来の易開封性カートンの一例のブランクの展開図である。
【符号の説明】
【００４２】
Ａ    易開封性カートン（参考例）
Ａａ  ブランク
Ｂ    易開封性カートン（本発明の一実施例）
Ｂａ  ブランク
Ｃ    易開封性カートン（変形例）
Ｃａ  ブランク
１    前パネル
２    後パネル
３    左側パネル
４    右側パネル
５    糊代片
６    底パネル
６ａ  底差し込み片
７    天パネル
７ａ  天差し込み片
８    折り込み片
９    折り込み片
１０    切断線
１１    前パネル切断線
１３    左側パネル切断線
１４    右側パネル切断線
１５    糊代片切断線
Ｈ    折れ線(ヒンジ）
ｈ    折れ線（ヒンジ）
Ｏ    内容物
Ｘ    カバーパネル
Ｙ    差し込み口
【図１】
0004748371.tif 000002
【図２】
0004748371.tif 000003
【図３】
0004748371.tif 000004
【図４】
0004748371.tif 000005
【図５】
0004748371.tif 000006
【図６】
0004748371.tif 000007
【図７】
0004748371.tif 000008
【図８】
0004748371.tif 000009
【図９】
0004748371.tif 000010